【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
所定の演出表示が行われる表示手段と、
遊技者の操作に応じて変化する遊技状態を検出する遊技状態検出手段と、
前記遊技状態検出手段によって検出された遊技状態に基づいて所定の抽選結果についての抽選を行う抽選手段と、
前記抽選手段による抽選結果が当たりであることに基づいて、遊技者に有利な有利遊技状態を発生させる有利遊技状態発生手段と、
前記抽選手段による抽選結果に基づいて、少なくとも一つの演出シーンより構成された複数の演出表示態様から所定の演出表示態様を前記表示手段に表示させる演出表示制御手段と、
遊技者が操作可能な操作手段、および、操作が有効である所定の時間内に連続して操作された前記操作手段の操作状況を判断する操作状況判断手段を有し、あたかも該操作手段の操作状況によって前記有利遊技状態を発生させることができるかのような演出表示が行われることで、前記表示手段にて表示中の演出シーンの内容に、遊技者が参加できる演出参加手段と、
前記演出表示制御手段によって複数の演出シーンから所定の演出シーンを表示すると共に、前記操作状況判断手段により判断された、前記所定の時間内に連続して操作された前記操作手段の操作状況に基づいて演出表示の内容を制御可能な特別演出シーンを、所定時間表示しうる演出シーン制御手段と、
前記特別演出シーンには、少なくとも、前記抽選手段による抽選結果が当たりであることを示す当たり演出内容、前記抽選手段による抽選結果がハズレの可能性があることを示すハズレ演出内容、および、前記当たり演出内容と前記ハズレ演出内容との間で段階的に期待させうる複数の期待演出内容が含まれており、
前記操作状況判断手段により判断された、前記所定の時間内に連続して操作された前記操作手段の操作状況が所定の条件を満たしたことに基づいて、前記特別演出シーンにおける演出内容として、表示中の特別演出シーンの演出内容に対して、前記当たり演出内容に段階的に、より近い期待演出内容を選択しうるとともに、前記抽選手段による抽選結果が当たりである場合には、前記所定時間が経過する前に、最終的に前記当たり演出内容を選択しうる演出内容選択手段と、
を備え、
前記演出シーン制御手段は、
前記演出内容選択手段により選択された演出内容を、前記特別演出シーンにおける演出内容として表示するとともに、
前記操作手段の操作状況に関し、遊技者に優越感を与えうる優越感付与手段を有しており、
前記優越感付与手段は、
前記操作手段の操作が有効とされてから前記当たり演出内容が表示されるまでの時間を計測し、該計測された時間と過去に計測された時間とのなかでランキングを作成し、前記表示手段に表示する
ことによって、前記特別演出シーンが表示される前記所定時間が経過する前に前記当たり演出内容が表示されたとしても、前記ランキングを表示することで、該所定時間を消化するようにした
ことを特徴とする遊技機。
【請求項２】
前記表示手段は、少なくともキャラクタが表示される演出画像液晶表示装置であることを特徴とする請求項１に記載の遊技機。
【請求項３】
前記特別演出シーンは、前記キャラクタによる勝負演出であり、
前記抽選手段による抽選結果が当たりであることを示す当たり演出内容は、前記勝負演出にて遊技者側が勝利した演出内容であるとともに、
前記抽選手段による抽選結果がハズレの可能性があることを示すハズレ演出内容は、前記勝負演出にて遊技者側が敗北した演出内容である
ことを特徴とする請求項２に記載の遊技機。
【手続補正２】
【補正対象書類名】明細書
【補正対象項目名】０００６
【補正方法】変更
【補正の内容】
【０００６】
請求項１に記載の遊技機は、所定の演出表示が行われる表示手段（演出表示装置１１５）と、遊技者の操作に応じて変化する遊技状態を検出する遊技状態検出手段（始動口センサ３１８）と、前記遊技状態検出手段によって検出された遊技状態に基づいて所定の抽選結果についての抽選を行う抽選手段と、前記抽選手段による抽選結果が当たりであることに基づいて、遊技者に有利な有利遊技状態を発生させる有利遊技状態発生手段と、前記抽選手段による抽選結果に基づいて、少なくとも一つの演出シーンより構成された複数の演出表示態様から所定の演出表示態様を前記表示手段に表示させる演出表示制御手段と、遊技者が操作可能な操作手段（ボタン６０）、および、操作が有効である所定の時間内に連続して操作された前記操作手段の操作状況を判断する操作状況判断手段（操作状況判断手段４４２）を有し、あたかも該操作手段の操作状況によって前記有利遊技状態を発生させることができるかのような演出表示が行われることで、前記表示手段にて表示中の演出シーンの内容に、遊技者が参加できる演出参加手段（ボタン６０および操作状況判断手段４４２）と、前記演出表示制御手段によって複数の演出シーンから所定の演出シーンを表示すると共に、前記操作状況判断手段により判断された、前記所定の時間内に連続して操作された前記操作手段の操作状況に基づいて演出表示の内容を制御可能な特別演出シーンを、所定時間表示しうる演出シーン制御手段と、前記特別演出シーンには、少なくとも、前記抽選手段による抽選結果が当たりであることを示す当たり演出内容（パラメータＰＨの値が０）、前記抽選手段による抽選結果がハズレの可能性があることを示すハズレ演出内容（パラメータＰＨの値が７）、および、前記当たり演出内容と前記ハズレ演出内容との間で段階的に期待させうる複数の期待演出内容（パラメータＰＨの値が１〜６）が含まれており、前記操作状況判断手段により判断された、前記所定の時間内に連続して操作された前記操作手段の操作状況が所定の条件を満たしたことに基づいて、前記特別演出シーンにおける演出内容として、表示中の特別演出シーンの演出内容に対して、前記当たり演出内容に段階的に、より近い期待演出内容を選択しうるとともに、前記抽選手段による抽選結果が当たりである場合には、前記所定時間が経過する前に、最終的に前記当たり演出内容を選択しうる演出内容選択手段と、を備え、前記演出シーン制御手段は、前記演出内容選択手段により選択された演出内容を、前記特別演出シーンにおける演出内容として表示するとともに、前記操作手段の操作状況に関し、遊技者に優越感を与えうる優越感付与手段（ステップＳ８０９）を有しており、前記優越感付与手段は、前記操作手段の操作が有効とされてから前記当たり演出内容が表示されるまでの時間を計測し、該計測された時間と過去に計測された時間とのなかでランキングを作成し、前記表示手段に表示することによって、前記特別演出シーンが表示される前記所定時間が経過する前に前記当たり演出内容が表示されたとしても、前記ランキングを表示することで、該所定時間を消化するようにしたことを特徴とする。
請求項２に記載の遊技機は、請求項１に記載の遊技機において、前記表示手段は、少なくともキャラクタが表示される演出画像液晶表示装置であることを要旨とするものである。
請求項３に記載の遊技機は、請求項２に記載の遊技機において、前記特別演出シーンは、前記キャラクタによる勝負演出であり、前記抽選手段による抽選結果が当たりであることを示す当たり演出内容は、前記勝負演出にて遊技者側が勝利した演出内容であるとともに、前記抽選手段による抽選結果がハズレの可能性があることを示すハズレ演出内容は、前記勝負演出にて遊技者側が敗北した演出内容であることを要旨とするものである。